(57)【特許請求の範囲】
【請求項１】
ボックス底板、ボックス前板、一対のボックス側板、およびボックス背板から構成され、ボックス背板に設けられた取付穴を介して壁に取り付け可能であり、未使用時は、ボックス底板、ボックス前板、および一対のボックス側板がボックス背板側に折り畳まれ、ボックス天板によりカバーされた状態になる折り畳まれた状態で施錠され、且つ内部に印鑑が納められており、使用時は、解錠して組み立てられた状態で荷物が収納可能となり、且つ内部の印鑑による捺印が可能で、荷物収納および印鑑捺印の後に施錠可能となっており、さらに、解錠したときのみ固定ボルトを外して壁から取り外すことができることを特徴とする宅配ボックス。
【請求項２】
未使用時の折り畳み状態がアタッシュケース状であることを特徴とする請求項１に記載の宅配ボックス。
【発明の詳細な説明】
【技術分野】
【０００１】
本願発明は、一般住宅の使用に特に有用なコンパクト設計の宅配ボックスに関するものである。
【背景技術】
【０００２】
従来、インターネット販売などの増加に伴い、宅配便の利用数が増えている。
【０００３】
しかし、共稼ぎの夫婦や外出が多い家庭などについては、荷物が届く日中に在宅しているケースも少なく、再配達依頼をすることとなる。また、平日仕事がある人は、荷受を休日まで待つ必要がある。さらには、宅配業者を装った強盗犯罪も増加している。
【０００４】
このように宅配便の利用増加の一方で、一般ユーザの様々な悩みも増加している。
【０００５】
他方、宅配業者にあっては、荷物の再配達率がおよそ５０％程度であり、業務効率が悪い。また、強盗ではないかとの恐れから、明らかに在宅であっても応対してもらえないという懸念もあり、これが精神的ストレスの一要因にもなっている。
【０００６】
そこで、一般住宅においても玄関壁や門塀などに設置でき、不在時の荷受を可能にした宅配ボックスが知られている（たとえば特許文献１参照）。
【特許文献１】特開平６−１０００８１号公報
【発明の開示】
【発明が解決しようとする課題】
【０００７】
しかしながら、上記のとおりの従来の宅配ボックスは、一般住宅に設置できるといっても、比較的大きなボックス形状を有しているため、外観上大きく目立ち、玄関周りや建物入口の美観が損なわれる懸念があった。また、壁面に埋設できない場合には壁前や柱脇などに立設させるので、歩行の邪魔にもなる。
【０００８】
そこで、以上のとおりの事情に鑑み、本願発明は、未使用時は折り畳んでコンパクトに収納でき、荷受する使用時には宅配業者の配達担当者がその場で簡単に組み立てて荷物を収納でき、しかも受領書への捺印も受けることのできる、宅配ボックスを提供することを課題としている。
【課題を解決するための手段】
【０００９】
本願発明は、上記の課題を解決するものとして、第１には、宅配ボックスにおいて、ボックス底板、ボックス前板、一対のボックス側板、およびボックス背板より構成され、ボックス背板に設けられた取付穴を介して壁に取り付け可能であり、未使用時は、ボックス底板、ボックス前板、および一対のボックス側板がボックス背板側に折り畳まれ、ボックス天板によりカバーされた状態になる折り畳まれた状態で施錠され、且つ内部に印鑑が納められており、使用時は、解錠して組み立てられた状態で荷物が収納可能となり、且つ内部の印鑑による捺印が可能で、荷物収納および印鑑捺印の後に施錠可能となっており、さらに、解錠したときのみ固定ボルトを外して壁から取り外すことができることを特徴とする。
【００１０】
第２には、前記宅配ボックスにおいて、未使用時の折り畳み状態がアタッシュケース状であることを特徴とする。
【発明の効果】
【００１３】
上記発明によれば、未使用時は折り畳んでコンパクトに収納でき、荷受する使用時には宅配業者のドライバー等の配達担当者がその場で簡単に組み立てて荷物を収納できる。しかも、内部に印鑑を納めておくことができるので、配達担当者が宅配ボックスを組み立てた際に受領書への印鑑捺印が可能となる。もちろん、施錠および解錠が可能なため、荷物および印鑑が紛失することもない。
【００１４】
本願発明の宅配ボックスは、宅配業者のドライバーが市町村等の小さなエリアを分担して循環していることから、不在がちな家や荷物がよく届く家など、地域の状況を把握している傾向が高いという事実に鑑みて発想されたものであり、宅配業者が地域密着で小規模エリアを担当していること、ならびに荷受人とのコミュニケーションがとりやすいことにより、実現可能となる。
【発明を実施するための最良の形態】
【００１５】
図１は、本願発明の一実施形態を示したものである。
【００１６】
本実施形態の宅配ボックス１では、ボックス底板１１、ボックス前板１２、ボックス側板１３、ボックス背板１４、およびボックス天板１５が、それぞれの適宜位置に備えられた蝶番等の可動具２により折り畳みおよび組み立て自在となっており、未使用時には、ボックス底板１１、ボックス前板１２、およびボックス側板１３がボックス背板１４側に折り畳まれ、ボックス天板１５によりカバーされてアタッシュケース状になり、使用時には、ボックス天板１５が開き、ボックス側板１３、ボックス前板１２、およびボックス底板１１が元の状態に組み立てられてボックス状になる。
【００１７】
また、宅配ボックス１には鍵３が取り付けられており、未使用時のアタッシュケース状態および使用時のボックス状態ともに、施錠および解錠が可能とされており、荷受人（施主）と配達担当者以外の施解錠を許されていない者は、勝手に組み立てを行えないようになっている。
【００１８】
この施解錠については、たとえば鍵３としてダイヤル錠などを取り付けておき、荷受人（施主）と配達担当者の信頼関係によってダイヤル番号等の暗証番号を共有する形態を採用することができる。
【００１９】
そしてさらに、宅配ボックス１内には予め印鑑４が納められており、配達担当者が宅配ボックス１を組み立てて荷物を入れる際に、自ら印鑑４の捺印を行えるようになっている。本実施形態では、印鑑４はボックス天板１５の裏面に着脱自在に取り付けられている。
【００２０】
以上のとおりの宅配ボックス１の使用方法は、たとえば次のとおりである。
【００２１】
まず、通常宅配ボックス１を使用していないときは、折り畳んでコンパクトに収納しておく。このとき、印鑑４は宅配ボックス１内に施錠保管される。
【００２２】
次に、荷物の配達時に、ドライバーが暗証番号によって錠３を開けて、宅配ボックス１を組み立てる。
【００２３】
宅配ボックス１が組み上がったら、荷物を入れて、中の印鑑４で受領書に判を押す。
【００２４】
最後に、宅配ボックス１の鍵３を施錠する。
【００２５】
これにより、荷物はもちろんのこと印鑑４も紛失することなく、不在時の荷受が可能になり、また荷受人は、宅配ボックス１が組み上がっているのを見れば、荷物が来たことを一目で知ることができる。
【００２６】
もちろん、未使用時の宅配ボックス１はアタッシュケース状の折り畳み状態となっているので、コンパクトに収納でき、玄関周りや建物入口等に設置してもあまり目立たず、歩行の邪魔にもなり難い。
【００２７】
なお、宅配ボックス１自体は、コンパクト化された反面、外に置いておくと盗難にあう恐れもあるので、たとえば、図２に例示したように壁５や門塀などの建築構造体に直接固定させたり、図３に例示したように何等かのベース６にアンカー固定させたり、図４に例示したように柱７などに鎖８で固定させたりして、盗難防止策を図ることが好ましい。
【００２８】
壁５等への固定による盗難防止策においては、たとえば、宅配ボックス１に、解錠時にのみ宅配ボックス１を取り外すことができるように固定手段を設けておくことが一つの好ましい形態でもある。
【００２９】
図２の例では、固定ボルト９が挿入される取付穴１０がボックス背板１４に設けられて、宅配ボックス１内に納められており、固定ボルト９および取付穴１０は、折り畳み状態および組み立て状態のいずれにおいても外部からは確認できず、鍵３を解錠して宅配ボックス１を開けたときのみ、それらが中にあることを確認でき、固定ボルト９を外して宅配ボックス１を壁５から取り外すことができる。鍵３の解錠は荷受人と配達担当者のみ行えるので、さらなる盗難防止効果が得られる。
【図面の簡単な説明】
【００３０】
【図１】本願発明の一実施形態について説明するための図。
【図２】本願発明の一実施形態を示した斜視図。
【図３】本願発明の一実施形態を示した斜視図。
【図４】本願発明の一実施形態を示した斜視図。
【符号の説明】
【００３１】
１  宅配ボックス
１１  ボックス底板
１２  ボックス前板
１３  ボックス側板
１４  ボックス背板
１５  ボックス天板
２  可動具
３  鍵
４  印鑑
５  壁
６  ベース
７  柱
８  鎖
９  固定ボルト
１０  取付穴
【図１】
0004747736.tif 000002
【図２】
0004747736.tif 000003
【図３】
0004747736.tif 000004
【図４】
0004747736.tif 000005